(57)【要約】【課題】  複数のレーザダイオードを駆動する際に、各レーザダイオードの応答性を向上させることができ、各レーザダイオード間の応答性のばらつきを低減させることができ、組み立て性も向上できようにしたレーザダイオード接続装置及び画像露光装置を提供する。【解決手段】  このレーザダイオード接続装置は、複数のレーザダイオード１１〜１６が取り付けられたレーザダイオード取付部材１０と、複数のレーザダイオードの各端子部と電気接続するための複数のコネクタ３１〜３６が取り付けられたコネクタ取付部材３０と、を接近して配置し、複数のレーザダイオードの各端子部を複数のコネクタに直接に接続している。【選択図】  図４
2006100540.tif 000002
【特許請求の範囲】
【請求項１】
複数のレーザダイオードが取り付けられたレーザダイオード取付部材と、前記複数のレーザダイオードの各端子部と電気接続するための複数のコネクタが取り付けられたコネクタ取付部材と、を接近して配置し、前記複数のレーザダイオードの各端子部を前記複数のコネクタに直接に接続したことを特徴とするレーザダイオード接続装置。
【請求項２】
前記コネクタ取付部材は、前記各レーザダイオードを駆動するための複数の駆動回路を有することを特徴とする請求項１に記載のレーザダイオード接続装置。
【請求項３】
前記各駆動回路と前記各コネクタとの間を電気接続する各導電パターンは、長さ・幅・厚みがほぼ同等に構成されていることを特徴とする請求項２に記載のレーザダイオード接続装置。
【請求項４】
前記コネクタ取付部材は、前記各コネクタの近傍に前記レーザダイオードを保護するための保護回路を有することを特徴とする請求項１，２または３に記載のレーザダイオード接続装置。
【請求項５】
前記各レーザダイオードは光ファイバをそれぞれ備え、前記光ファイバの先端からレーザ光が出射することを特徴とする請求項１乃至４のいずれか１項に記載のレーザダイオード接続装置。
【請求項６】
請求項１乃至５のいずれか１項に記載のレーザダイオード接続装置を備え、
前記複数のレーザダイオードから出射する各レーザ光により記録媒体を露光することで画像を形成する画像露光装置。
【請求項７】
前記レーザダイオード接続装置を露光ヘッドに備えさせ、
前記露光ヘッドを副走査方向に移動させるように構成した請求項６に記載の画像露光装置。
【発明の詳細な説明】
【技術分野】
【０００１】
本発明は、複数のレーザダイオード（ＬＤ）と複数のコネクタとを電気接続するレーザダイオード接続装置及びそのレーザダイオード接続装置を備える画像露光装置に関するものである。
【背景技術】
【０００２】
種々の感光材料に画像を記録するためにレーザダイオードを用いた画像記録装置が公知であり、かかる画像記録装置では、例えば主走査方向に回転可能な記録ドラム上に感光材料が装着されるとともに、複数のレーザダイオードを備えた記録ヘッドが記録ドラムの回転軸と平行な副走査方向に移動可能に設けられており、画像の記録時には記録ドラムを主走査方向に回転させかつ記録ヘッドを副走査方向に移動させつつ、画像信号に基づいて記録ヘッドから感光材料にレーザ光を照射することで、感光材料に画像信号に基づいた画像が記録される（下記特許文献１参照）。
【０００３】
下記特許文献１及び２は、上記複数のレーザダイオード（ＬＤ）を駆動するためのレーザダイオード駆動回路を開示し、電流源にＬＤへの電流供給経路とインピーダンス素子への電流供給経路とを接続し、これら２つの供給経路を相補的にＯＮ／ＯＦＦし、更に配線の途中にフェライトコアを入れることで配線のインダクタンス成分を補償して高速駆動することができるようにしている。しかしながら、このレーザダイオード駆動回路ではＬＤがＯＦＦのときでも常に電流が流れているので電力の利用効率が低下するという問題がある。
【０００４】
下記特許文献３は、インダクタンスによる応答性悪化を補償する補償回路を通常の駆動回路とは別に設けたレーザダイオード駆動回路を開示し、ＬＤのＯＮ／ＯＦＦ時にこの補償回路を動作させることで高速駆動を可能としている。即ち、ＬＤのＯＮ／ＯＦＦ時のみ通常の駆動時よりも電流を多く増減することで高速駆動が可能となる。しかしながら、このレーザダイオード駆動回路は構成が非常に複雑であり、部品点数が多いなどの問題点がある。
【０００５】
また、レーザダイオード駆動回路とレーザダイオードとの間をツイストペア線（２線のより線）等のハーネスで接続する場合、ハーネスのインダクタンス成分は、ツイストの割合（単位長さあたり何回ツイストするか）や配線の太さや配線の引き回しなどで異なるため、正確に補償するにはチャンネル毎の調整が必要となり、調整に手間取る結果となる。
【０００６】
また、下記特許文献４は、バイアス電流を大きくすることなく発光素子が消光状態から発光状態へ遷移する時の立ち上がり応答遅延時間を短縮することができるようにした発光素子駆動回路を開示する。この場合も発光素子駆動回路とレーザダイオードとの間をツイストペア線（２線のより線）等のハーネスで接続する場合、上述と同様の問題が生じる。
【０００７】
従来技術では、ＬＤと駆動回路との間をハーネスで接続することが多く、このハーネス（特にインダクタンス成分）がＬＤ（レーザ光）の応答性を悪化させていた。また、下記各特許文献においてはそれぞれインダクタンス成分よる応答性悪化を補償する構成が記載されているが、ハーネスの長さのバラツキなどで補償を正確にできない場合がある。更に、多数のＬＤをハーネスで接続するのは組立作業性が非常に悪い。
【特許文献１】特許第３５４７５８０号公報
【特許文献２】特開平１０−２８４７８１号公報
【特許文献３】特開２００１−３２２３０８号公報
【特許文献４】特開２００４−８７５９５号公報
【発明の開示】
【発明が解決しようとする課題】
【０００８】
本発明は、上述のような従来技術の問題に鑑み、複数のレーザダイオードを駆動する際に、各レーザダイオードの応答性を向上させることができ、各レーザダイオード間の応答性のばらつきを低減させることができ、組み立て性も向上できようにしたレーザダイオード接続装置及び画像露光装置を提供することを目的とする。
【課題を解決するための手段】
【０００９】
上記目的を達成するために、本発明によるレーザダイオード接続装置は、複数のレーザダイオードが取り付けられたレーザダイオード取付部材と、前記複数のレーザダイオードの各端子部と電気接続するための複数のコネクタが取り付けられたコネクタ取付部材と、を接近して配置し、前記複数のレーザダイオードの各端子部を前記複数のコネクタに直接に接続したことを特徴とする。
【００１０】
このレーザダイオード接続装置によれば、コネクタ取付部材に配置した複数のコネクタに対しレーザダイオード取付部材の複数のレーザダイオードを直接に接続することで、各レーザダイオードと各コネクタとの間のハーネス等の配線をなくすことができ配線の影響を受けないので、各レーザダイオードの応答性を向上させることができ、各レーザダイオード間の応答性のばらつきを低減させることができる。また、各レーザダイオードと各コネクタとの接続を一括で可能であるため組み立て性も向上する。
【００１１】
上記レーザダイオード接続装置において前記コネクタ取付部材は前記各レーザダイオードを駆動するための複数の駆動回路を有する構成にできる。この場合、前記各駆動回路と前記各コネクタとの間を電気接続する各導電パターンは長さ・幅・厚みがほぼ同等に構成されることで、インダクタンス成分をコントロールでき、各レーザダイオード間のインダクタンス成分のばらつきを減らすことができるので、各レーザダイオード間の応答性のばらつきを更に低減できる。また、パターン化することで、配線に比べて長さ・幅・厚みを管理し易く、インダクタンスや容量成分のコントロールが容易となる。
【００１２】
また、前記コネクタ取付部材は、前記各コネクタの近傍に前記レーザダイオードを保護するための保護回路を有することが好ましい。これにより、レーザダイオードと保護回路との間を短くできるので、保護回路によるノイズ等に対する保護効果が低減しない。
【００１３】
また、前記各レーザダイオードは光ファイバをそれぞれ備え、前記光ファイバの先端からレーザ光が出射するように構成することが好ましい。
【００１４】
本発明による画像露光装置は、上述のレーザダイオード接続装置を備え、前記複数のレーザダイオードから出射する各レーザ光により記録媒体を露光することで画像を形成する。
【００１５】
この画像露光装置によれば、複数のレーザダイオードの応答性を向上させることができ、各レーザダイオード間の応答性のばらつきを低減させることができるので、各レーザダイオードからのレーザ光により記録媒体を安定して露光することができ高品質の画像を形成することができる。
【００１６】
上記画像露光装置において、前記レーザダイオード接続装置を露光ヘッドに備えさせ、前記露光ヘッドを副走査方向に移動させるように構成することができる。
【発明の効果】
【００１７】
本発明のレーザダイオード接続装置によれば、複数のレーザダイオードを駆動する際に、各レーザダイオードの応答性を向上させることができ、各レーザダイオード間の応答性のばらつきを低減させることができ、組み立て性も向上できる。また、本発明の画像露光装置によれば、各レーザダイオードからのレーザ光により記録媒体を安定して露光でき、高品質の画像を形成できる。
【発明を実施するための最良の形態】
【００１８】
以下、本発明を実施するための最良の形態について図面を用いて説明する。
【００１９】
〈第１の実施形態〉
【００２０】
図１は第１の実施の形態によるレーザダイオード接続装置のレーザダイオード取付部材の平面図（ａ）及び側面図（ｂ）である。図２は第１の実施の形態によるレーザダイオード接続装置のコネクタ取付部材の平面図（ａ）及び側面図（ｂ）である。図３は図２のコネクタ取付部材の保護回路及び駆動回路の例を示す図である。図４は図１のレーザダイオード取付部材と図２のコネクタ取付部材とを接続したレーザダイオード接続装置の平面図（ａ）及び側面図（ｂ）である。
【００２１】
図１（ａ）、（ｂ）に示すように、レーザダイオード取付部材１０は、基板９上にほぼ等間隔に並べられて取り付けられた複数のレーザダイオード（以下、「ＬＤ」と略す場合がある。）１１乃至１６を備える。各ＬＤ１１〜１６は、それぞれ、基板９の平面に対しほぼ平行に延びるピン状の一対の端子部１１ａ〜１６ａと、端子部１１ａ〜１６ａの反対側のレーザ光出射面から延びる光ファイバ１１ｂ〜１６ｂと、を有する。各端子部１１ａ〜１６ａは基板９の側面から突き出ている。
【００２２】
図２（ａ）、（ｂ）に示すように、コネクタ取付部材３０は、基板２９のはんだ面２９ａ上に側端部に沿ってほぼ等間隔に並べられて取り付けられた複数のコネクタ３１乃至３６と、基板２９のはんだ面２９ａと反対側の部品面２９ｂ上に各コネクタ３１〜３６に近接して配置された保護回路４１乃至４６と、各コネクタ３１〜３６から延びた導電パターン５１乃至５６により電気接続されるように部品面２９ｂ上に配置された駆動回路６１乃至６６と、を有する。
【００２３】
各コネクタ３１〜３６は、各ＬＤ１１〜１６の各一対のピン状の端子部１１ａ〜１６ａを受容可能に凹状に構成された受容部３１ａ乃至３６ａを有し、凹状の受容部３１ａ〜３６ａが基板２９に対し略平行に配置されている。
【００２４】
保護回路４１乃至４６は、コネクタ３１〜３６に各ＬＤ１１〜１６が電気接続されたとき、ＬＤ１１〜１６を外来のノイズによる破損から保護する。駆動回路６１乃至６６は各ＬＤ１１〜１６を入力信号に基づいて電気的に駆動し、各ＬＤ１１〜１６からレーザ光を出射させる。
【００２５】
駆動回路６１は、図３の一点鎖線内に示されるように、Ｄ／Ａコンバータ６１ａと、演算増幅器６１ｂと、トランジスタ６１ｃと、抵抗器６１ｄとを含む。Ｄ／Ａコンバータ６１ａに入力信号が入力し、Ｄ／Ａコンバータ６１ａは入力信号をアナログ信号に変換し、演算増幅器６１ｂの正側端子に出力する。演算増幅器６１ｂの負側端子が抵抗器６１ｄの一端に接続され、抵抗器６１ｄの他端は接地されている。抵抗器６１ｄとレーザダイオード１１との間にトランジスタ６１ｃが配置され、演算増幅器６１ｂの出力端子がトランジスタ６１ｃのベースに接続されている。駆動回路６１は入力信号に基つく電流値Ｉがレーザダイオード１１に流れるように動作することでレーザダイオード１１を駆動する。
【００２６】
また、図３の破線に示すようにレーザダイオード１１に並列にツェナーダイオード４１ａからなる保護回路４１が接続されている。
【００２７】
図２（ａ）の各導電パターン５１〜５６は、それぞれ、各コネクタ３１〜３６と各駆動回路６１〜６６との間を電気接続し、長さ・幅・厚みがほぼ同等に構成されており、インダクタンス成分をほぼ同等とすることで、各ＬＤ１１〜１６の応答性も同じになり、各ＬＤ１１〜１６間の応答性のばらつきを低減できる。導電パターン５１は、例えば、図３の太線で示す配線部５１ａ、５１ｂに相当する。
【００２８】
なお、他の駆動回路６２〜６６、保護回路４２〜４６、及び導電パターン５２〜５６も、それぞれ、図３で説明した駆動回路６１、保護回路４１及び導電パターン５１の配線部５１ａ、５１ｂと同様に構成される。
【００２９】
図５に図１のレーザダイオードの構成例を示す。図５のＬＤ１１から延びる光ファイバ１１ｂは先端側で光ファイバ１１ｂを保持する光ファイバ保持部１１ｃを有し、光ファイバ保持部１１ｃの端面から光ファイバ１１ｂのレーザ光の出射面１１ｄが露出している。図１の他のＬＤ１２〜１６も図５と同様に構成される。
【００３０】
次に、図１のＬＤ取付部材１０と図２のコネクタ取付部材３０とを接続したＬＤ接続装置について図４を参照して説明する。
【００３１】
図１、図２のように、ＬＤ取付部材１０とコネクタ取付部材３０とを対向させて接近させ、各ＬＤ１１〜１６の各一対のピン状の端子部１１ａ〜１６ａを各コネクタ３１〜３６の受容部３１ａ乃至３６ａに差し込むことで、図４（ａ）、（ｂ）のように、各ＬＤ１１〜１６の端子部１１ａ〜１６ａと各コネクタ３１〜３６とを直接に接続させることにより、ＬＤ取付部材１０とコネクタ取付部材３０とからＬＤ接続装置を組み立てることができる。
【００３２】
図４（ａ）、（ｂ）のＬＤ接続装置では、ＬＤ取付部材１０とコネクタ取付部材３０とがほぼ平行な相対位置関係となっている。
【００３３】
図４（ａ）、（ｂ）のＬＤ接続装置によれば、各ＬＤ１１〜１６を各コネクタ３１〜３６に直接に接続することで、ハーネス等の配線が不要となり、ハーネス等の配線のインダクタンスによるＬＤの応答性悪化を防止できる。即ち、各駆動回路６１〜６６と各ＬＤ１１〜１６との距離をハーネス等の配線がないので近づけることができ、このためインダクタンスの影響が低減し、ＬＤの応答性が向上する。
【００３４】
また、予め互いに位置決めされた複数のＬＤ１１〜１６を複数のコネクタ３１〜３６に一括して接続できるので、組立性が向上するとともにハーネス等の配線が不要となることと相俟ってコストダウンを実現できる。
【００３５】
また、基板２９に形成する導電パターン５１〜５６は、ハーネス等の配線に比べて格段にインダクタンスを精度良くコントロールすることができるので、駆動回路６１〜６６に補償回路を使用するにしても、各チャンネルでの調整が不要であるため理想的なＬＤ駆動回路を実現できる。更に、インダクタンス成分をほぼ同等とできるので、名チャンネルの応答性も同じになり、各チャンネル間のばらつきが少なくなる。
【００３６】
また、図５のようなファイバ付きＬＤは通常配線による接続が前提に市販されていることが多く、本実施の形態によるＬＤ接続装置の構成はファイバ付きＬＤには特に有効である。
【００３７】
また、ＬＤはノイズ（特に静電気ノイズ）による破損例が比較的多いことが知られており、図２，図３のように、各ＬＤ１１〜１６を各コネクタ３１〜３６に直接に接続し、各コネクタ３１〜３６の近傍に保護回路４１〜４６を配置している。従来、ＬＤと並列（または直列）に保護回路を設けていたが、ＬＤと駆動回路をハーネス等の配線で接続するため、たとえ保護回路を設けたとしても保護回路はＬＤにハーネス等の配線を介して接続されているため、ノイズ対策効果が不充分であったのに対し、本実施の形態によれば、上述のノイズ対策効果を充分に得ることができる。
【００３８】
〈第２の実施形態〉
【００３９】
図６は第２の実施の形態によるレーザダイオード接続装置のコネクタ取付部材の平面図（ａ）及び側面図（ｂ）である。図７は図１のレーザダイオード取付部材と図６のコネクタ取付部材とを接続したレーザダイオード接続装置の側面図である。
【００４０】
図６のように、第２の実施の形態によるコネクタ取付部材７０は、複数のコネクタ７１乃至７７を基板２９のはんだ面２９ａ上に側端部に沿ってほぼ等間隔に並べて取り付けている。各コネクタ７１〜７７は各ＬＤ１１〜１６の各一対のピン状の端子部１１ａ〜１６ａを受容可能に凹状に構成された受容部７１ａ乃至７６ａを有するが、各受容部７１ａ〜７６ａが基板２９に対し略直交するように配置されている。
【００４１】
図６のコネクタ取付部材７０は、各コネクタ７１〜７７の受容部７１ａ〜７６ａの向きが異なる以外は、図２（ａ）、（ｂ）、図３と同様に構成され、基板２９の部品面２９ｂ上に各コネクタ７１〜７６に近接して配置された保護回路４１乃至４６と、各コネクタ７１〜７６から延びた導電パターン５１乃至５６により電気接続されるように部品面２９ｂ上に配置された駆動回路６１乃至６６と、を有する。
【００４２】
図１のＬＤ取付部材１０と図６のコネクタ取付部材７０とを接続したＬＤ接続装置について図７を参照して説明する。図１のＬＤ取付部材１０と図６のコネクタ取付部材７０とを対向させて接近させ、各ＬＤ１１〜１６の各一対のピン状の端子部１１ａ〜１６ａを各コネクタ７１〜７６の受容部７１ａ〜７６ａに差し込むことで、図７のように、各ＬＤ１１〜１６の端子部１１ａ〜１６ａと各コネクタ７１〜７６とを直接に接続させることにより、ＬＤ取付部材１０とコネクタ取付部材７０とからＬＤ接続装置を組み立てることができる。
【００４３】
図７のＬＤ接続装置は、図４のＬＤ接続装置と比べて、ＬＤ取付部材１０とコネクタ取付部材７０との相対位置関係が互いに直行する点が異なるだけであるので、図１〜図５と同様の効果を奏することができる。
【００４４】
〈第３の実施形態〉
【００４５】
図８は第３の実施形態による画像露光装置の要部を概略的に示す平面図である。
【００４６】
図８の画像露光装置は、外周面上にシート状の記録媒体を保持して回転する回転ドラム１００と、回転ドラム１００に対し回転軸方向Ｙに副走査移動しながらレーザ光を照射し露光する露光ヘッド１０１と、露光ヘッド１０１の駆動回路６１〜６６（図２，図３参照）に対し画像信号を出力する画像信号出力部１０２と、装置全体を制御する中央演算処理装置（ＣＰＵ）から構成される制御部１０３と、を備える。
【００４７】
回転ドラム１００は回転駆動機構（図示省略）により回転軸を中心として主走査方向Ｘに回転駆動される。露光ヘッド１０１はガイド１０４に移動可能に取り付けられ、回転ドラム１００の回転に同期して副走査方向Ｙへ移動する。
【００４８】
回転ドラム１００上の記録媒体の主走査方向Ｘにおける位置は、回転ドラム１００に取り付けられたロータリエンコーダ１０５から出力される検出信号に基づいて検出される。また、露光ヘッド１０１の副走査方向Ｙにおける現在位置は、リニアエンコーダ１０６から出力される検出信号に基づいて検出される。
【００４９】
露光ヘッド１０１は、図１〜図５のＬＤ接続装置を備え、ＬＤ取付部材１０と、コネクタ取付部材３０とを含む。ＬＤ取付部材１０では各ＬＤ１１〜１６から延びた光ファイバ１１ｂ〜１６ｂの先端側が光ファイバ保持部１１ｃ〜１６ｃで保持されてそれらの出射面１１ｄ（図５）が副走査方向Ｙに等間隔に並んでいる。図８のように、光ファイバ１１ｂ〜１６ｂの各出射面１１ｄ（図５）から出射したレーザ光が入射して回転ドラム１００の外周面上に集光するようにレンズを含む光学系８１ａ〜８６ａが光ファイバ保持部１１ｃ〜１６ｃに対応して配置されている。
【００５０】
図８の画像露光装置では、制御部１０３の制御の下で、画像信号出力部１０２から露光ヘッド１０１の駆動回路６１〜６６（図２，図３参照）に画像信号が出力すると、画像信号に基づいて各ＬＤ１１〜１６が駆動され、光ファイバ１１ｂ〜１６ｂの出射面１１ｄ（図５）から出射したレーザ光を光学系８１ａ〜８６ａにより回転ドラム１００の外周面上の記録媒体に集光することで記録媒体を露光する。回転ドラム１００が主走査方向Ｘに回転しながら露光ヘッド１０１が回転ドラム１００の回転に同期して副走査方向Ｙへ移動することで、回転ドラム１００の外周面上の記録媒体に画像信号に基づいて画像が形成される。
【００５１】
図８の画像露光装置によれば、複数のＬＤ１１〜１６の応答性を向上させることができ、各ＬＤ１１〜１６間の応答性のばらつきを低減できるので、各ＬＤ１１〜１６からのレーザ光により記録媒体を安定して露光することができ高品質の画像を形成できる。
【００５２】
また、従来のようなハーネス等の配線が不要となるので、画像露光装置の露光ヘッドの組み立て性が向上し、また、生産工数及び部品点数の削減につながり、画像露光装置の製造コストの低減に寄与できる。
【００５３】
また、上述の図１〜図５のように、各ＬＤ１１〜１６を各コネクタ３１〜３６に直接に接続し、各コネクタ３１〜３６の近傍に保護回路４１〜４６を配置し、ＬＤのノイズ（特に静電気ノイズ）による破損を効果的に防止できるので、図８の画像露光装置を安定して継続的に使用できる。
【００５４】
また、図８の画像露光装置をレーザ光の露光で直接印刷版を作成する装置に適用することができ、この場合、マルチモード発振等による比較的高出力（例えば、５００ｍＷ以上）のレーザダイオードを使用するが、かかる比較的高出力のＬＤでは、ハーネス等の配線のインダクタンスによるＬＤの応答性悪化が顕在化し易かったのであるが、本実施の形態では、上述のように、各駆動回路６１〜６６と各ＬＤ１１〜１６との距離をハーネス等の配線をなくし近づけることができるので、インダクタンスの影響が低減し、ＬＤの応答性を向上でき、このため、印刷版作成装置等において比較的高出力のＬＤの使用で生じる問題を解決できる。
【００５５】
なお、画像露光装置の構成に応じてシングルモード発振等による比較的低出力（例えば、２００ｍＷ程度）のレーザダイオードを本実施の形態のＬＤ接続装置に使用できることは勿論である。
【００５６】
以上のように本発明を実施するための最良の形態について説明したが、本発明はこれらに限定されるものではなく、本発明の技術的思想の範囲内で各種の変形が可能である。例えば、図３の保護回路４１は、ツェナーダイオード４１ａの代わりに、ダイオード、バリスタ、スナバ回路、抵抗・コンデンサ等を用いて構成してもよい。
【００５７】
また、図４，図７のＬＤ接続装置のＬＤ取付部材１０に取り付けるＬＤは、図８のような画像露光装置等において必要とされるチャンネル数に応じて適宜配置することが可能であり、例えば、８個、１６個、３２個、６４個、・・・を配置できる。
【００５８】
また、図８の画像露光装置では露光ヘッド１０１に図７のＬＤ接続装置を用いてもよいことは勿論である。また、図２のコネクタ取付部材３０及び図６のコネクタ取付部材７０では、コネクタと保護回路・駆動回路とが互いに反対面に位置するようにそれぞれ基板に取り付けたが、同一面に位置するように基板に取り付けてもよい。
【図面の簡単な説明】
【００５９】
【図１】第１の実施の形態によるレーザダイオード接続装置のレーザダイオード取付部材の平面図（ａ）及び側面図（ｂ）である。
【図２】第１の実施の形態によるレーザダイオード接続装置のコネクタ取付部材の平面図（ａ）及び側面図（ｂ）である。
【図３】図２のコネクタ取付部材の保護回路及び駆動回路の例を示す図である。
【図４】図１のレーザダイオード取付部材と図２のコネクタ取付部材とを接続した第１の実施の形態によるレーザダイオード接続装置の平面図（ａ）及び側面図（ｂ）である。
【図５】図１のレーザダイオードと光ファイバの構成例を示す斜視図である。
【図６】第２の実施の形態によるレーザダイオード接続装置のコネクタ取付部材の平面図（ａ）及び側面図（ｂ）である。
【図７】図１のレーザダイオード取付部材と図６のコネクタ取付部材とを接続した第２の実施の形態によるレーザダイオード接続装置の側面図である。
【図８】図８は第３の実施形態による画像露光装置の要部を概略的に示す平面図である。
【符号の説明】
【００６０】
９ 基板
１０ レーザダイオード取付部材、ＬＤ取付部材
１１〜１６ レーザダイオード、ＬＤ
１１ａ〜１６ａ 端子部
１１ｂ〜１６ｂ 光ファイバ
１１ｃ 光ファイバ保持部
１１ｄ 出射面
３０ コネクタ取付部材
３１〜３６ コネクタ
３１ａ〜３６ａ 受容部
４１〜４６ 保護回路
４１ａ ツェナーダイオード
５１〜５６ 導電パターン
６１〜６６ 駆動回路
７０ コネクタ取付部材
７１ａ〜７６ａ 受容部
１００ 回転ドラム
１０１ 露光ヘッド
Ｘ 主走査方向
Ｙ 副走査方向
【図１】
2006100540.tif 000003
【図２】
2006100540.tif 000004
【図３】
2006100540.tif 000005
【図４】
2006100540.tif 000006
【図５】
2006100540.tif 000007
【図６】
2006100540.tif 000008
【図７】
2006100540.tif 000009
【図８】
2006100540.tif 000010